(57)【特許請求の範囲】
【請求項１】
画データの送信に際して指定すべき情報が一定の形式に従って記載されたデータファイルを外部から受信する手段と、原稿の画データを読取る読取手段と、受信した前記データファイルに基づき、前記情報を指定して前記読取手段が読取った原稿の画データの送信を行う手段と、を備えたことを特徴とするインターネットファクシミリ装置。
【請求項２】
画データの送信に際して指定すべき情報が一定の形式に従って記載されたデータファイルを外部から受信する手段と、原稿の画データを読取る読取手段と、操作部から送信命令が出されると、前記読取手段により原稿の画データの読取りを行い、受信した前記データファイルに基づき、前記情報を指定して前記読取手段が読取った原稿の画データの送信を行う手段と、を備えたことを特徴とするインターネットファクシミリ装置。
【請求項３】
画データの送信に際して指定すべき情報が一定の形式に従って記載されたデータファイルをクライアント装置から受信する手段と、受信した前記データファイルに基づき、前記情報を指定して前記画データの送信を行う手段と、受信した前記データファイル毎に識別番号を割り当てる手段と、前記識別番号を前記クライアント装置に通知する手段と、を備えたことを特徴とするインターネットファクシミリ装置。
【請求項４】
前記データファイルに記載された画データの送信に際して指定すべき情報は、ワンタッチ・短縮番号であることを特徴とする請求項１乃至３の何れか１に記載のインターネットファクシミリ装置。
【請求項５】
ファクシミリ機能を備えたインターネットファクシミリ装置であって、前記データファイルに記載された画データの送信に際して指定すべき情報には、ＴＳＩ、ＩＤ、送信時刻、サブアドレス・パスワード、ＰＩＮ番号、ＴＴＩ、又は送信すべき原稿の読取解像度、圧縮方式若しくは読取原稿サイズが含まれることを特徴とする請求項１乃至３の何れか１に記載のインターネットファクシミリ装置。
【請求項６】
請求項１乃至５の何れか１に記載のインターネットファクシミリ装置と、該インターネットファクシミリ装置にネットワークを介して接続され、前記データファイルを生成して前記インターネットファクシミリ装置に送信するクライアント装置と、を備えたインターネットファクシミリシステムであって、前記クライアント装置は、自装置の住所録に格納された情報データのうち任意に選択されたものを、画データの送信に際して指定すべき情報として前記データファイルに記載する手段を備えるものであることを特徴とするインターネットファクシミリシステム。
【発明の詳細な説明】
【０００１】
【発明の属する技術分野】
本発明は、電子メールを利用して画データを送受信する機能、Ｇ３ファクシミリ機能等を備えたインターネットファクシミリ装置、並びに、該インターネットファクシミリ装置とこれにＬＡＮ等のネットワークを介して通信可能に接続されたクライアント装置とを含むインターネットファクシミリシステムに関する。
【０００２】
【従来の技術】
電子メールを利用して画データを送受信する機能、Ｇ３ファクシミリ機能等を備えたインターネットファクシミリ装置によれば、インターネットファクシミリ、Ｇ３ファクシミリ等を同報にて送信することが可能である。複数の宛先に同報送信する場合は、ＦＡＸ（ファクシミリ）番号、電子メールアドレスなど送信宛先に関する情報を装置本体に設けられた操作部等から入力指定して、或いは、宛先登録機能を備えたものであれば、短縮番号等を利用して装置本体に登録された送信宛先に関する情報を指定して送信することができる。
【０００３】
【発明が解決しようとする課題】
ところが、送信宛先に関する情報等の指定を行っている間は、通常、画データの送信を同時に行うことができず、他の者はその指定操作が終了するまで待機しなければならなかった。また、短縮番号等が登録されている場合は、その指定操作は比較的短時間で済むが、短縮番号が登録されていない送信宛先、しかも１００件、２００件の同報として送信する場合には、その指定操作に長時間を要する。さらに、電子メールアドレスの宛先として「Ｔｏ」、「Ｃｃ」、「Ｂｃｃ」を指定する場合、サブアドレス・パスワード等を指定する場合等、詳細な指定をする場合にあっては、さらにその操作に時間を要することとなる。
【０００４】
本発明は、かかる課題に鑑みてなされたものであって、送信宛先に関する情報など、画データの送信に際して指定すべき情報の指定操作中に他の者が送信を行うことができず、指定操作が終了するまで待機しなければならないという不便を解消するインターネットファクシミリ装置及びインターネットファクシミリシステムを提供することを目的とする。
【０００５】
【課題を解決するための手段】
上記目的を達成するために、請求項１記載のインターネットファクシミリ装置は、画データの送信に際して指定すべき情報が一定の形式に従って記載されたデータファイルを外部から受信する手段と、原稿の画データを読取る読取手段と、受信した前記データファイルに基づき、前記情報を指定して前記読取手段が読取った原稿の画データの送信を行う手段と、を備えたことを特徴としている。
また、請求項２記載のインターネットファクシミリ装置は、画データの送信に際して指定すべき情報が一定の形式に従って記載されたデータファイルを外部から受信する手段と、原稿の画データを読取る読取手段と、操作部から送信命令が出されると、前記読取手段により原稿の画データの読取りを行い、受信した前記データファイルに基づき、前記情報を指定して前記読取手段が読取った原稿の画データの送信を行う手段と、を備えたことを特徴としている。
また、請求項３記載のインターネットファクシミリ装置は、画データの送信に際して指定すべき情報が一定の形式に従って記載されたデータファイルをクライアント装置から受信する手段と、受信した前記データファイルに基づき、前記情報を指定して前記画データの送信を行う手段と、受信した前記データファイル毎に識別番号を割り当てる手段と、前記識別番号を前記クライアント装置に通知する手段と、を備えたことを特徴としている。
また、請求項４記載のインターネットファクシミリ装置は、請求項１乃至３の何れか１に記載のインターネットファクシミリ装置において、前記データファイルに記載された画データの送信に際して指定すべき情報は、ワンタッチ・短縮番号であることを特徴としている。
また、請求項５記載のインターネットファクシミリ装置は、請求項１乃至３の何れか１に記載のインターネットファクシミリ装置において、ファクシミリ機能を備えたインターネットファクシミリ装置であって、前記データファイルに記載された画データの送信に際して指定すべき情報には、ＴＳＩ、ＩＤ、送信時刻、サブアドレス・パスワード、ＰＩＮ番号、ＴＴＩ、又は送信すべき原稿の読取解像度、圧縮方式若しくは読取原稿サイズが含まれることを特徴としている。
【０００６】
請求項６記載のインターネットファクシミリシステムは、請求項１乃至５の何れか１に記載のインターネットファクシミリ装置と、該インターネットファクシミリ装置にネットワークを介して接続され、前記データファイルを生成して前記インターネットファクシミリ装置に送信するクライアント装置と、を備えたインターネットファクシミリシステムであって、前記クライアント装置は、自装置の住所録に格納された情報データのうち任意に選択されたものを、画データの送信に際して指定すべき情報として前記データファイルに記載する手段を備えるものであることを特徴としている。
【０００７】
【発明の実施の形態】
以下、本実施の形態に係るインターネットファクシミリ装置、及びインターネットファクシミリシステムについて、図面に基づき説明する。図１に示すように前記インターネットファクシミリシステムＡは、前記インターネットファクシミリ装置１、クライアント装置２、前記インターネットファクシミリ装置１と前記クライアント装置２とを相互に通信可能に接続するＬＡＮ（ローカルエリア・ネットワーク）３等のネットワークとから構成される。また、前記インターネットファクシミリ装置１は、ＬＡＮ３を通じて前記ルータ４、メールサーバ５と相互に通信可能に接続されており、これらルータ４、メールサーバ５からインタネットを通じて電子メールの送受信が可能な他の端末６と原稿等の画データを送受信することができるようになっている。さらに、前記インターネットファクシミリ装置１は、後述するＮＣＵを介してＰＳＴＮ（公衆交換電話網）７と接続されており、このＰＳＴＮ７を通じて他のＧ３ＦＡＸ端末８等と原稿等の画データを送受信することができるようにもなっている。
【０００８】
前記インターネットファクシミリ装置１の具体的構成例を示す。図２に示すように、前記インターネットファクシミリ装置１は、ＣＰＵ（中央処理装置）９、ＲＡＭ（ランダムアクセスメモリー）１０、ＲＯＭ（リードオンリーメモリー）１１、コーデック１２、モデム１３、ＮＣＵ（ネットワークコントロールユニット）１４、読取部１５、記録部１６、操作部１７、ＬＡＮＩ／Ｆ（ローカルエリアネットワーク・インターフェース）１８、及び各装置１０乃至１８を通信可能に接続するバス１９を備えたものである。
【０００９】
前記ＣＰＵ９は、所定のプログラムに従って、このインターネットファクシミリ装置１を構成する各装置を制御する。
【００１０】
前記ＲＡＭ１０は、画データ、ＦＡＸ番号、メールアドレス等を予め記憶するための記憶部として、或いは一時的に蓄積される諸データ等の記憶部として機能する。
【００１１】
前記ＲＯＭ１１は、前記ＣＰＵ９によりこのインターネットファクシミリ装置１の各部の動作が制御されるための各種プログラムを記憶している。
【００１２】
前記コーデック１２は、複数のプロトコルに対応して符号化（エンコード）・復号（デコード）するものである。すなわち、前記読取部１５にて読み取られた画データ等を送信のためにＭＨ、ＭＲ、ＭＭＲ方式等により符号化し、受信した画データを復号する。また、コンピュータで使用される一般的に使われている画像フォーマットであるＴＩＦＦ（Ｔａｇｇｅｄ    Ｉｍａｇｅ    Ｆｉｌｅ    Ｆｏｒｍａｔ）形式にも対応して符号化、復号することもできる。なお、ＴＩＦＦの仕様は、米国Ａｄｏｂｅ  Ｓｙｓｔｅｍ社によって公開されており、名称の通り、ファイル内のデータ・ブロックにタグを使用してデータを表現され、タグを使用することにより解像度や色数の異なる複数の画データを同時に格納することができる。
【００１３】
前記モデム１３は、例えばＩＴＵ−Ｔの勧告Ｖ．３４規格又はこれと同様のものに従った送受信データの変調及び復調を行う。
【００１４】
前記ＮＣＵ１４は、電話回線を制御して電話をかけたり、電話を切ったりする回線網制御装置であり、ＰＳＴＮ（公衆交換電話網）７に接続されている。
【００１５】
前記読取部１５は、原稿の画像データを読み取って、白黒２値に変換した画データを出力する。
【００１６】
前記記録部１６は、例えば電子写真方式のものからなり、受信した画データを記録紙上に画像形成し、該記録紙を排出（プリントアウト）する。例えば、前記読取部１５で読み取られた原稿の画データ、ファクシミリ受信した画データ、インターネットファクシミリ受信した添付ファイルの画データや本文のテキストデータ等を前記ＣＰＵ９の指示に基づき、プリントアウトする。
【００１７】
前記操作部１７は、例えば、このインターネットファクシミリ装置１の状態に関する情報、送信宛先等を指定するための画面、各種操作指示画面等を表示するディスプレイ１７ａ、ＦＡＸ番号等を入力するためのテンキー１７ｂ、短縮番号から発信するための短縮キー１７ｃ、原稿の読取り動作の開始等を行うためのスタートキー１７ｄ、前記ディスプレイ１７ａ内の反転表示を移動させるためのカーソルキー１７ｅ等を備えており、各種操作はこの操作部１７により行われる。
【００１８】
前記ＬＡＮＩ／Ｆ１８は、ＬＡＮ（ローカルエリアネットワーク）３とのインターフェイスを備えており、このＬＡＮ３とインターネットファクシミリ装置１とを通信可能に接続している。
【００１９】
前記インターネットファクシミリ装置１は、ＴＣＰ／ＩＰを実装し、原稿等の画データを電子メールの添付ファイルとすることによって、電子メールの本文と共に、前記画データ等を送受信する機能、すなわち、インターネットファクシミリ機能を備えている。また、Ｇ３方式等に従った一般的なファクシミリ機能をも備えている。
【００２０】
前記インターネットファクシミリ機能を利用して原稿等の画データを通信する場合、前記インターネットファクシミリ装置１は、送信時には、前記ＲＯＭ１１等に予め記憶された所定の変換プログラムによって、Ｇ３形式のデータを前記したＴＩＦＦ形式のデータに変換し、さらにＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）のＢａｓｅ６４等の形式で符号化して、電子メールの添付ファイルとして送信する。受信時には、この添付ファイルをＴＩＦＦ形式のデータに復号し、ＴＩＦＦ形式からＧ３形式のデータに変換する。さらに、受信データをプリントアウトする場合は、そのＧ３形式のデータが前記コーデック１２において白黒２値の画データに復号され、例えば、前記記録部１６において記録紙上に画像形成される。
【００２１】
また、前記インターネットファクシミリ装置１には、ＨＴＴＰ（Ｈｙｐｅｒｔｅｘｔ  Ｔｒａｎｓｆｅｒ  Ｐｒｏｔｏｃｏｌ）サーバとして機能するようにＨＴＴＰサーバ・ソフトがインストールされており、ブラウザ・ソフトがインストールされたクライアント装置２とＨＴＭＬファイルの送受信をすることができるようになっている。なお、ＨＴＴＰとは、インターネットにおいて、ＷＷＷ（Ｗｏｒｌｄ  Ｗｉｄｅ  Ｗｅｂ）サーバとＷＷＷクライアントの間でＨＴＭＬ（Ｈｙｐｅｒｔｅｘｔ  Ｍａｋｅｕｐ  Ｌａｎｇｕａｇｅ）ファイルなどを送受信するための通信プロトコルであり、ＨＴＭＬとは、例えば、ホームページを作成するときに使用される記述言語である。
【００２２】
前記クライアント装置２は、例えば、ＰＣ（パーソナル・コンピュータ）等により構成されたものであり、図３に示すように、所定のプログラムに基づき該ＰＣを構成する各部を制御するＣＰＵ２０、各種データ等の随時書き込み読み出し部として機能するＲＡＭ２１、ＢＩＯＳ（基本入出力システム）など該ＰＣの起動に必要なプログラム等を記憶したＲＯＭ２２、ユーザが種々の操作指示をするための画面情報を表示するディスプレイ２３、例えばＣＤ−ＲＯＭ（コンパクトディスク・リードオンリーメモリー）２７等のコンピュータ読取可能な記録媒体に記録されたプログラムを読み込むためのディスクドライブ装置２４、マウス、キーボード等からなる入力装置２５、ＬＡＮ３と双方向通信可能に接続するＬＡＮインターフェイス２６、及び各部２１乃至２６を通信可能に接続するバス２７を備えている。
【００２３】
このクライアント装置２には、ＨＴＭＬ（Ｈｙｐｅｒｔｅｘｔ  Ｍａｒｋｕｐ  Ｌａｎｇｕａｇｅ）ファイルを閲覧するするためのブラウザ・ソフトがインストールされており、ＨＴＴＰサーバとして機能する前記インターネットファクシミリ装置１との間でＨＴＭＬファイルからなる所定のデータファイルを送受信する手段が確立されている。なお、このように、本実施の形態においては、データファイルを送受信する手段としてＨＴＴＰプロトコルを利用したＨＴＭＬファイルの送受信によるものを採用しているが、ファイルの種類及び通信プロトコルはこれに限定されるものではなく、例えば、通信プロトコルとしてＦＴＰ（Ｆｉｌｅ  Ｔｒａｎｓｆｅｒ  Ｐｒｏｔｏｃｏｌ）を採用し、装置１、２に夫々ＦＴＰサーバ・ソフト、ＦＴＰクライアント・ソフトをインストールすることによりテキストファイル、ＣＳＶ（Ｃｏｍｍａ  Ｓｅｐａｒａｔｅｄ  Ｖａｌｕｅ）ファイル等をデータファイルとして送受信できるようにしてもよい。
【００２４】
前記データファイルは、前記インターネットファクシミリ装置１へ送信してこれを受信したインターネットファクシミリ装置１が該データファイルに基づき、画データの送信に際して指定すべき情報を指定できるように一定の形式に従って記載されたものである。例えば、図４に示すように、各種指定事項毎に割り当てられたコマンド「ＴＳＩ＝」等に前記情報「０７７４−１１−２２２２」等を記載した形式のデータファイル２８である。なお、本実施の形態においては、このデータファイル２８は、予め前記インターネットファクシミリ装置１の前記ＲＡＭ１０等に記憶されたＨＴＭＬファイルからなる雛型ファイル２８ａを前記クライアント装置２において受信して、これに所望の前記情報を記載（上書き）することにより生成されるようになっている。
【００２５】
前記データファイル２８を前記インターネットファクシミリ装置１が受信すると、前記コマンドの後の記載を読み込んで、当該情報を画データの送信に際して指定すべき情報として指定する。例えば、「ＴＳＩ＝」の後に記載された番号「0774-11-2222」は、送信先のＦＡＸ番号に通知するＴＳＩ（送信端末識別信号）として指定され、「ＩＤ＝」の後記載された文字「ABCDEFG」は、送信先のＦＡＸ番号に通知するＩＤ(Identification)として指定され、「ＴＩＭＥ＝」の後に記載された年月日「Thu,7Sep 2000 13:00:00」は、送信時刻として指定され、「ＫＥＹ＝」の後に記載されたパスワード「54862」は、このデータファイル２８を後で前記インターネットファクシミリ装置１本体等において呼び出す際のパスワードとして指定され、「Ｔｏ：」の後に記載された電子メールアドレス「mail01@mailaddress.co.jp」等は、電子メールとして送信すべき宛先であり且つ正規の宛先として指定され、「Ｃｃ：」の後に記載された電子メールアドレス「mailcc@mailaddress.co.jp」は、電子メールとして送信すべき宛先であり且つコピーの宛先として指定され、「Ｂｃｃ：」の後に記載された電子メールアドレス「mailbcc@mailaddress.co.jp」は、電子メールとして送信すべき宛先であり且つブラインド・カーボン・コピーの宛先として指定され、「ＦＡＸ：」の後に記載された番号「075-234-5678」等は、ファクシミリ送信すべき宛先として指定される。なお、図示しないが、更に他の指定すべき情報、例えば、インターネットファクシミリ装置１内部に登録されたワンタッチ・短縮番号、送信先のＦＡＸ番号に付属させるサブアドレス・パスワード、ＰＩＮ（Personal Identification Number）番号、送信すべき原稿に付加する発信元記録情報（TTI）、送信すべき原稿の読取解像度、圧縮方式、読取原稿サイズ等の指定についても、夫々コマンドを設定して前記インターネットファクシミリ装置１に受信させると共に指定させるようにしてもよい。
【００２６】
前記コマンドの後に情報を記載する場合は、前記クライアント装置２において、前記入力装置２５からオペレータ等により直接入力することができるが、前記クライアント装置２には、電子メール・ソフト、個人情報管理ソフト等の住所録に格納された情報データ、つまり、電子メールアドレス、ＦＡＸ番号、サブアドレス、パスワード等の送信宛先に関する情報を前記コマンドの後にインポートするインポート・ソフトがインストールされており、該インポート・ソフトの実行により、前記情報データは任意に選択されて、前記データファイル２８の「Ｔｏ：」「Ｃｃ：」「Ｂｃｃ：」等の後に配置されるようになっている。
【００２７】
以下、前記クライアント装置２において、前記データファイル２８が生成されてから前記インターネットファクシミリ装置１に送信されるまでの前記クライアント装置２の動作について図５に示すフローチャートに基づき説明する。なお、この動作は、ＣＤ−ＲＯＭ２７等からインストールされた前記ブラウザ・ソフトに係るプログラム、前記インポート・ソフトに係るプログラム、制御プログラム等に基づいてＣＰＵ２０の発行する命令に従って行われる。
【００２８】
まず、前記クライアント装置２と前記インターネットファクシミリ装置１とを通信可能に接続して、前記インターネットファクシミリ装置１に保持されているＨＴＭＬの前記雛型ファイル２８ａ受信するために、ブラウザから所定のＵＲＬ（Ｕｎｉｆｏｒｍ  Ｒｅｓｏｕｒｃｅ  Ｌｏｃａｔｏｒｓ）を指定する（Ｓ１）。そして、前記インターネットファクシミリ装置１から前記雛型ファイル２８ａを受信し、その内容をディスプレイ２３に表示させる（Ｓ２）。つぎに、前記したように各コマンドの後に前記情報を前記入力装置２５により記載し、或いは前記したインポート・ソフトを実行させて記載して（Ｓ３）、最後に、前記情報が記載されたＨＴＭＬのデータファイル２８を前記インターネットファクシミリ装置１に送信する（Ｓ４）。なお、上記のように前記インポート・ソフトを利用して前記情報を記載することにより、電子メールアドレス等の送信宛先に関する情報の記載について、オペレータ等の入力操作負担が大幅に軽減される。また、入力装置２５からオペレータ等により直接入力する際に生じ得る入力間違い、例えばメールアドレスのタイプミス等、が防止される。
【００２９】
上記の如く送信された前記データファイル２８を前記インターネットファクシミリ装置１が受信した後の前記インターネットファクシミリ装置１の動作について、図６及び図７に示すフローチャートに基づいて説明する。なお、この動作は、インターネットファクシミリ装置１のＲＯＭ１１に記憶されている制御プログラム等に基づいてＣＰＵ９の発行する命令に従って行われる。
【００３０】
まず、前記クライアント装置２から前記データファイル２８を受信すると（Ｓ１１）、図８に示すように、このデータファイル２８を前記ＲＡＭ１０の所定領域に形成されるバッファ２９に一時的に蓄積し（Ｓ１２）、該バッファ２９に識別番号２９ａを割り当てる（Ｓ１３）。つぎに前記クライアント装置２に前記識別番号２９ａを表示するＨＴＭＬファイルを送信することにより前記識別番号２９ａを通知する（Ｓ１４）。ここで、前記識別番号２９ａの通知は、ＨＴＭＬファイルの送信を利用して行っているが、通知手段はこれに限定されず、例えば電子メールを利用するなどして前記識別番号２９ａを前記クライアント装置２に通知してもよい。
【００３１】
このように、前記インターネットファクシミリ装置１は、前記クライアント装置２から受信したデータファイル毎にバッファ２９を形成すると共に、これに識別番号２９ａを割り当てる手段と、該識別番号２９ａを前記クライアント装置２に通知する手段を備えているので、前記インターネットファクシミリ装置１が複数の前記データファイル２８を受信したときや前記データファイル２８を複数のクライアント装置２から受信したときは、前記バッファ２９及びその識別番号２９ａもそれに対応して複数形成されるようになっている。このため、各オペレータ等は、前記識別番号２９ａにより自分のデータファイル２８を他人のものとを容易に区別することができ、混乱が生じない。
【００３２】
つぎに、オペレータ等により送信すべき原稿等が読取部１５にセットされて操作部１７から送信命令が出されると、読取部１５にセットされた原稿の読取が行われて、ＦＡＸ番号の宛先に対しては、Ｇ３形式の画データを生成し、電子メールアドレスの宛先に対しては、電子メール添付可能な画データ、例えばＴＩＦＦ形式のものを生成して前記ＲＡＭ１０の所定の記憶領域に蓄積する（Ｓ２１）。最後に、前記バッファ２９に蓄積した前記データファイル２８から画データの送信に際して指定すべき情報を読み出して指定し（Ｓ２２）、電子メール又はファクシミリにて、順次送信を行う（Ｓ２３）。
【００３３】
【発明の効果】
請求項１記載のインターネットファクシミリ装置は、画データの送信に際して指定すべき情報が一定の形式に従って記載されたデータファイルを外部から受信する手段と、原稿の画データを読取る読取手段と、受信した前記データファイルに基づき、前記情報を指定して前記読取手段が読取った原稿の画データの送信を行う手段と、を備えたものであるので、送信時等において受信した前記データファイルから前記情報を短時間で指定することなどが可能であるため、他の送信しようとする者を長時間待機させるという問題等が解消される。
【００３４】
請求項６記載のインターネットファクシミリシステムは、請求項１乃至５の何れか１に記載のインターネットファクシミリ装置と、該インターネットファクシミリ装置にネットワークを介して接続され、前記データファイルを生成して前記インターネットファクシミリ装置に送信するクライアント装置と、を備えたインターネットファクシミリシステムであって、前記クライアント装置は、自装置の住所録に格納された情報データのうち任意に選択されたものを、画データの送信に際して指定すべき情報として前記データファイルに記載する手段を備えるものであるので、前記データファイルを前記クライアント装置から受信し、送信時等において受信した前記データファイルから前記情報を短時間で指定することなどが可能であるため、他の送信しようとする者を長時間待機させるという問題が解消される。さらに、前記インターネットファクシミリ装置に前記情報を簡便に受信させることができるという利点をも有する。
【図面の簡単な説明】
【図１】本発明の実施の形態に係るインターネットファクシミリシステムが設置されるネットワーク環境の一例を示した図である。
【図２】本発明の実施の形態に係るインターネットファクシミリ装置のハードウエア構成の一例を示したブロック図である。
【図３】本発明の実施の形態に係るクライアント装置のハードウエア構成の一例を示したブロック図である。
【図４】データファイルの一例を示した説明図である。
【図５】本発明の実施の形態に係るクライアント装置の動作を示したフローチャートである。
【図６】本発明の実施の形態に係るインターネットファクシミリ装置の動作を示したフローチャートである。
【図７】本発明の実施の形態に係るインターネットファクシミリ装置の動作を示したフローチャートである。
【図８】データファイルの送信、バッファの形成及び識別番号通知についての概略説明図である。
【符号の説明】
Ａ  インターネットファクシミリシステム
１  インターネットファクシミリ装置
２  クライアント装置
３  ＬＡＮ（ネットワーク）
９、２０  ＣＰＵ
１０、２１  ＲＡＭ
１１、２２  ＲＯＭ
２８  データファイル
【図１】
0003599181.tif 000002
【図２】
0003599181.tif 000003
【図３】
0003599181.tif 000004
【図４】
0003599181.tif 000005
【図５】
0003599181.tif 000006
【図６】
0003599181.tif 000007
【図７】
0003599181.tif 000008
【図８】
0003599181.tif 000009